(57)【要約】      （修正有）【課題】携帯型電子器機と飲料容器を収容することができ、且つ、スムーズな取り出しも可能な収容容器を提供する。携帯型電子器機と飲料容器を収容する収容容器において、飲料容器を取り出す際は持ち上げ量が足らないと、携帯型電子器機の上端に飲料容器の下端を引っ掛けて、飲料容器の飲料をこぼす恐れがある。【解決手段】内装部材１と内装部材１に回動可能に保持された収容部２とを有し、収容部２の閉じ位置において、収容部２は携帯型電子器機が収容可能な第１収容部開口４が内装部材１から表出、収容部２の開き位置において、第１収容部３は閉じ位置にある時より下方側に、上下方向長さ（L）が小さくなるように回動、第１収容部開口４より上部に、飲料容器を収容可能な第２収容部開口６が表出する為、飲料容器を第１収容部３から持ち上げて取り出す際、携帯型電子器機の上端と飲料容器の下端との接触が低減し、飲料容器をスムーズに取り出すことができる。【選択図】図３
2020082982.tif 000002
【特許請求の範囲】
【請求項１】
内装部材と、前記内装部材に回動可能に保持された収容部とを有し、前記収容部の閉じ位置において、前記収容部は携帯型電子器機が収容可能な第１収容部の開口が前記内装部材から表出し、前記収容部の開き位置において、前記第１収容部は前記閉じ位置にある時より下方側に、かつ上下方向長さ（L）が小さくなるように回動し、前記第１収容部の開口より上部に、飲料容器を収容可能な第２収容部の開口が前記内装部材から表出することを特徴とする収容部材。
【請求項２】
前記第１収容部の開口から前記第２収容部の開口を連結する壁部は、その上下方向長さ（H）が前記閉じ位置より前記開き位置のほうが大きくなるよう、前記閉じ位置において、その上方が前記内装部材側へ傾斜している、請求項１に記載の収容部材。
【請求項３】
前記開き位置において、前記第１収容部の収容方向と前記第２収容部の収容方向は、３０°〜７０°の交差角を有する、請求項１及び２に記載の収容部材。
【請求項４】
前記開き位置において、前記第１収容部の収容方向と前記第２収容部の収容方向は、４０°〜６５°の交差角を有する、請求項１及び２に記載の収容部材。
【請求項５】
前記収容部の回動はダンパによって速度が調節されている、請求項１〜４の何れか１項に記載の収容部材。
【請求項６】
前記収容部の前記開き位置において、前記第２収容部は、前記内装部材と前記収容部とで形成されることを特徴とする、請求項１〜５の何れか１項に記載の収容部材。
【発明の詳細な説明】
【技術分野】
【０００１】
本発明は、飲料容器、及び携帯電話やスマートホン等の携帯型電子器機を収容する為の収容部を有する、車両用の収容部材に関する。
【背景技術】
【０００２】
下記特許文献には、可動容器を容器収容部の外部で支持した際は、飲料容器と携帯型電子器機を同時に収容することができ、また可動容器が容器収容部内部に支持された際は、携帯型電子器機のみを収容することができる収容容器が記載されている。
【先行技術文献】
【特許文献】
【０００３】
【特許文献１】特開２００４−２４９８３９号公報
【発明の概要】
【発明が解決しようとする課題】
【０００４】
しかし、この技術は、携帯型電子器機の収容部である可動容器と、飲料容器の収容部である容器収容部との距離が近くに配置されており、且つ、乗員に対して略平行に配置されている為、乗員にとっては携帯型電子器機の背後にある飲料容器を取り難いという問題があった。つまり、飲料容器を取る際には飲料容器を収容部から持ち上げるが、持ち上げ量が足らないと、携帯型電子器機の上端に飲料容器の下端を引っ掛けて、飲料容器の飲料をこぼしてしまう恐れがある。
【０００５】
本発明は、上記課題に鑑みてなされたものであって、携帯型電子器機と飲料容器を同時に収容することができる収容部材において、乗員が飲料容器を取り出す為に、飲料容器を収容部から持ち上げた時に、携帯型電子器機の上端と飲料容器の下端との接触を低減できる、収容部材を提供することを目的とする。
【課題を解決するための手段】
【０００６】
前記課題を解決する為に、本発明は内装部材と、前記内装部材に回動可能に保持された収容部とを有し、前記収容部の閉じ位置において、前記収容部は携帯型電子器機が収容可能な第１収容部の開口が前記内装部材から表出し、前記収容部の開き位置において、前記第１収容部は前記閉じ位置にある時より下方側に、且つ上下方向長さ（L）が小さくなるように回動し、前記第１収容部の開口より上部に、飲料容器を収容可能な第２収容部の開口が前記内装部材から表出することを特徴としている。
【発明の効果】
【０００７】
よって飲料容器と携帯型電子器機が同時に収容されている開き位置において、飲料容器を第１収容部から持ち上げて取り出す際に、第１収容部の開口から突出する携帯型電子器機の上下寸法が小さくなるので、携帯型電子器機の上端と飲料容器の下端との接触を低減できる。従って飲料容器を収容部からスムーズに取り出すことができる。また、閉じ位置においても携帯型電子器機を収容することができる。
【図面の簡単な説明】
【０００８】
【図１】本発明に係る車両用の収容部材が内装部材に配置された状態の斜視図である。
【図２】実施例１の収容部材が閉じ位置と開き位置の時の断面図である。
【図３】実施例１の収容部材が閉じ位置と開き位置の時の斜視図である。
【図４】実施例１の収容部材の分解図である。
【図５】実施例２の収容部材が閉じ位置と開き位置の時の断面図である。
【図６】実施例２の収容部材が閉じ位置と開き位置の時の斜視図である。
【発明を実施するための形態】
【０００９】
以下、図１〜図６を参照して、本発明の実施形態について説明する。
【００１０】
以下、本発明に係る実施形態を詳細に説明する。なお、以下の実施形態では、説明する時に使われる「前」、「後」、「左」、「右」、「上」、「下」の方向は、乗員が車両の前方に向いて座る時に、乗員の「前」、「後」、「左」、「右」、「上」、「下」の方向と一致している。
【実施例１】
【００１１】
図１に示すように、収容部材は内装部材としてのインストルメントパネル１と、インストルメントパネル1に回動可能に保持された収容部２から構成されている。
【００１２】
以下、携帯型電子器機はスマートホンＳとする。図１に示すように、収容部２はスマートホンＳを収容する第１収容部３の開口４のみが表出している閉じ位置と、第１収容部３と飲料容器を収容する第２収容部５の開口６とが両方表出している開き位置とを、使い分けることができる。飲料容器が無い時はスマートホンＳのみを収容するように、閉じ位置が選択される。飲料容器を収容する時は開き位置にして、飲料容器は第２収容部５に収容し、スマートホンＳは第１収容部３に収容する。
【００１３】
図２は閉じ位置と開き位置での収容部材の断面を表す。収容部２は第１収容部３と第２収容部５とからなり、閉じ位置ではスマートホンＳが収容可能な第１収容部３の開口４が内装部材１から表出し、スマートホンＳを収容することができる。そして開き位置では第１収容部３は閉じ位置にある時より下方側に、且つ上下方向長さ（L）が閉じ位置でのL1からL2に小さくなるように回動し、第１収容部３の開口４より上部に、飲料容器を収容可能な第２収容部５の開口６が表出する。この時、スマートホンＳの開口４から突出する部分の上下方向長さも、Lと同様に小さくなる。そして車両前側から順に、飲料容器、スマートホンＳを収容することができる。このような配置関係になっている為に、スマートホンＳと飲料容器が同時に収容されている場合においても、スマートホンＳの上端に飲料容器の下端が接触することが低減される為、飲料容器を収容部材からスムーズに取り出すことができる。
【００１４】
さらに第１収容部３の開口４から第２収容部５の開口６を連結する壁部７は、その上下方向長さ（H）が閉じ位置の長さH１より開き位置の長さH２のほうが大きくなるよう、閉じ位置において、その上方が内装部材側に傾斜している。その為、壁部７を超えて飲料容器を取り出す時、スマートホンＳの上端と飲料容器の底部との間の寸法が大きくなり、両者の接触が低減される。また、閉じ位置から開き位置に回動した際には、走行の振動などによって、飲料容器が第２収容部５から倒れたり、落ちたりはしない。
【００１５】
そして収容部２の回転軸８の高さが、閉じ位置における第１収容部３の高さに近い位置にある為に、回動の軌跡が大きくならない為、開き位置において収容部材が車両後方側に大きく表出しない。言替えると、第２収容部５が適切にコンパクトに表出される。
【００１６】
なお、第１収容部３の収容方向と第２収容部５の収容方向は、望ましくは３０°から７０°の交差角９を有し、更に望ましくは４０°から６５°を有する。
【００１７】
なお、図３に示すように、内装部材の突起部１３と収容部材の孔部１２に、付勢力のあるターンオーバースプリング１１を取り付けており、付勢力により収容部材の回動は行われる為に、乗員はその操作に煩わしさを感じない。
【００１８】
図４にそれぞれの構成部品を示した分解斜視図を示す。
【００１９】
収容部２はスマートホンＳが収容されるように設計された第１収容部３と、飲料容器が収容するように設計された第２収容部５が組み付けられたものである。この第２収容部５に、孔部１２が設定されており、この孔部１２に付勢力を有するターンオーバースプリング１１が取り付けられる。このターンオーバースプリング１１の他端は、内装部材１の突起部１３に取付けられる。
【００２０】
そして、閉じ位置から開き位置に向かって手動で回動していき、予定の回動変位の半分（中間位置）まで来ると、あとはターンオーバースプリング１１の付勢力によって、全開し、開き位置となる。逆も同様であり、開き位置から閉じ位置に向かって手動で回動していき、予定の回動変位の半分（中間位置）まで来ると、あとはターンオーバースプリング１１の付勢力によって、全閉し、閉じ位置となる。乗員は閉じ位置と開き位置を選択することができ、閉じ位置ではスマートホンＳのみ、開き位置ではスマートホンＳと飲料容器を収容することができる。
そして開き位置にてスマートホンＳと飲料容器が同時に収容されている場合においても、スマートホンＳの上端に飲料容器の下端が接触しない為、飲料容器をスムーズに取り出すことができる。
【００２１】
また収容部材の回転軸８にはダンパ１０が設置されており、収容部２の回動時の開閉速度が調整されている。よって例えば、スマートホンＳが収容状態で、閉じ位置から開き位置に回動する場合においても、収容部２の回動が速過ぎて、スマートホンＳが第１収容部３から脱落するというような不具合は発生しない。
【実施例２】
【００２２】
第２実施例は図５に示すように、第２収容部５が、インストルメントパネル１と一体的に形成された第２収容部前方部５１と、収容部に形成された第２収容部後方部５２とで構成され、第２収容部後方部５２のみが開き位置から閉じ位置へと、回転軸８を中心に回動する。よって第２収容部前方部５１は固定された状態である為、第１実施例のように、車両前方側の奥側まで第２収容部５が回動して行かず、内装部材１に占める収容部２の占有体積を小さくすることが可能となる。そして余ったスペースは他の部品配置に活用ができる。
【００２３】
尚、本実施例は飲料容器を収容する第２収容部５は、図６に示すように、実施例１のような円柱形状ではなく、四角柱形状となっている。
【００２４】
閉じ位置においては、スマートホンＳが収容可能な第１収容部３の開口４が内装部材１から表出し、スマートホンＳを収容することができる。そして開き位置においては、第１収容部３は閉じ位置にある時より下方側に、且つ上下方向長さ（L）が小さくなるように回動し、第１収容部３の開口４より上側に飲料容器を収容可能な第２収容部５の開口６が表出する。
そして車両前方側から順に、飲料容器、スマートホンＳを収容することができる。このような配置関係になっている為に、スマートホンＳと飲料容器が同時に収容されている場合においても、スマートホンＳの上端に飲料容器の下端が接触することがない為、飲料容器を収容部材からスムーズに取り出すことができる。
【００２５】
また収容部材の回転軸にはダンパ１０が設置されており、収容部２の回動時の開閉速度が調整されている。よって例えば、スマートホンＳが収容状態で、閉じ位置から開き位置に回動する場合においても、収容部２の回動が速過ぎて、スマートホンＳが第１収容部３から脱落するというような不具合は発生しない。
【００２６】
尚、内装部材１としてはインストルメントパネルの例を示したが、ドアトリムやコンソールボックスであっても良い。
【符号の説明】
【００２７】
１．  内装部材（インストルメントパネル）
２．  収容部 
３．  第１収容部
４．  第１収容部開口
５．  第２収容部
５１  第２収容部前方部
５２  第２収容部後方部
６.   弟２収容部開口
７．  壁部
８．  回転軸
９．  交差角
１０．ダンパ
１１．ターンオーバースプリング
１２．孔部
１３．突起部
１４．回転軸受け部
Ｓ．  スマートホン
【図１】
2020082982.tif 000003
【図２】
2020082982.tif 000004
【図３】
2020082982.tif 000005
【図４】
2020082982.tif 000006
【図５】
2020082982.tif 000007
【図６】
2020082982.tif 000008